(57)【要約】本発明は、アミノ酸、アルカリ性塩類、酸化防止剤およびキレート剤を含むアルデヒド除去剤である。また、本発明は、アルデヒド除去部と除去液供給部から構成され、かつ、前記アルデヒド除去剤の水溶液を用いてアルデヒドを除去するアルデヒド除去装置であって、前記アルデヒド除去部は、除塵フィルターと、アルデヒド除去セクションと、ブロアーと、ドレンアップポンプとを含み、前記除去液供給部は、貯留タンクと、流路切り替え用バルブと、除去液輸送用ポンプと、純水補給装置とを含むアルデヒド除去装置等である。
2013057791.tif 000002
【特許請求の範囲】
【請求項１】
アミノ酸、アルカリ性塩類、酸化防止剤およびキレート剤を含むアルデヒド除去剤。
【請求項２】
アミノ酸を０．０５〜５０質量％、アルカリ性塩類を０．０５〜５０質量％、酸化防止剤を０．０１〜７０質量％およびキレート剤を０．０１〜７０質量％含む、請求項１に記載のアルデヒド除去剤。
【請求項３】
前記請求項１または２に記載のアルデヒド除去剤を固形分換算で１〜６０質量％、および、純水を４０〜９９質量％含む、アルデヒド除去液。
【請求項４】
アルデヒド除去部と除去液供給部から構成され、かつ、前記請求項３に記載のアルデヒド除去液を用いてアルデヒドを除去するアルデヒド除去装置であって、
前記アルデヒド除去部は、除塵フィルターと、アルデヒド除去セクションと、ブロアーと、ドレンアップポンプとを含み、
前記除去液供給部は、貯留タンクと、流路切り替え用バルブと、除去液輸送用ポンプと、純水補給装置とを含む、
アルデヒド除去装置。
【請求項５】
前記アルデヒド除去セクションがエアワッシャーを含む請求項４に記載のアルデヒド除去装置の運転方法であって、該エアワッシャーのエリアにアルデヒド除去剤を供給する操作と、該供給を停止する操作とを繰り返す、アルデヒド除去装置の運転方法。
【発明の詳細な説明】
【技術分野】
【０００１】
本発明は、空気中に存在するホルムアルデヒドやアセトアルデヒド等の、アルデヒドの除去剤、アルデヒドの除去装置、および、アルデヒド除去装置の運転方法に関する。
【背景技術】
【０００２】
アルデヒドは住環境において常在する物質である。例えば、アルデヒドは接着剤や防腐剤などに含まれ、これらを使用した建材や家具から恒常的に発生しているほか、喫煙や調理などの日常の活動においても微量ながら発生することが知られている。かかるアルデヒドの室内平均濃度は、例えば、２００５年度では、ホルムアルデヒドが０．０２５ｐｐｍ、アセトアルデヒドが０．０１７ｐｐｍであったと報告されている。
また、ホルマリンに浸漬等された被剖検体がある解剖実習室内や、ホルムアルデヒド燻蒸により消毒が行われる無菌室内では、一般に、気中のホルムアルデヒド濃度が高くなっている。特に、解剖実習は医学生の必須科目で、その期間は長きにわたるため、医学生は解剖中に被剖検体から発散される高濃度のホルムアルデヒドに長時間曝されることになる。【０００３】
アルデヒドはシックハウス症候群の主な原因物質であり、また、発癌性が疑われているため、人がアルデヒドに曝されると健康を害するリスクが高まる。そこで、厚生労働省は、室内濃度指針値として、ホルムアルデヒドでは０．０８ｐｐｍ、アセトアルデヒドでは０．０３ｐｐｍと規定している。また、環境省は、悪臭防止法施行令において、６種類のアルデヒドを特定悪臭物質として指定している。
したがって、前記の健康リスクを回避するためには、室内等の閉空間に存在するアルデヒドを前記指針値以下にまで除去できる手段が求められている。【０００４】
これを受けて、空気中のアルデヒドの除去手段が、いくつか提案されている。
例えば、特許文献１には、アミノ酸を主成分とする、ｐＨ９以上のアルカリ性水溶液により構成されたホルムアルデヒド除去剤が提案されている。しかし、この除去剤は、ホルムアルデヒドの除去に優れるものの、長時間使用するとアルデヒド除去効果が低下する傾向がある。
また、特許文献２には、空気に含まれるホルムアルデヒドなどの有害な気体を、水に溶け込ませて捕集する１個又は複数個の空気浄化装置等を備えた解剖台が提案されている。しかし、水はアルデヒドの除去効果が低いため、十分な効果を発揮するには、装置自体を大型化するか、装置の設置台数を増やさなければならずコスト高である。【０００５】
また、非特許文献１には、Ｌ−システインの水溶液を用いた空気中のアセトアルデヒドの除去方法が開示されている。しかしながら、システインのチオール基は、空気中の酸素などにより比較的容易に酸化されてジスルフィドを形成し、システインの２量体であるシスチンが生成すること、そして、該酸化反応により形成されたジスルフィドは、もはやアルデヒドと結合せずアルデヒドの除去に寄与しないことから、除去効果が経時的に低下するという課題があった。
【先行技術文献】
【特許文献】
【０００６】
【特許文献１】特開２０１１−１１００７９号公報
【特許文献２】特開２００７−２４４７６２号公報
【非特許文献】
【０００７】
【非特許文献１】山下  喬子、外１名、”化学反応を用いた室内空気からのアセトアルデヒド除去”、［online］、東京大学、［平成２２年１１月１６日検索］、インターネット<ＵＲＬ：http://repository.dl.itc.u-tokyo.ac.jp/dspace/bitstream/2261/25650/1/K-01744-a.pdf >
【発明の概要】
【発明が解決しようとする課題】
【０００８】
そこで、本発明は、前記課題に鑑み、空気中のアルデヒドの除去効果が高く、その効果が長時間持続するアルデヒド除去剤、アルデヒド除去装置、および、アルデヒド除去装置の運転方法を提供することを目的とする。
【課題を解決するための手段】
【０００９】
本発明者は、前記課題を解決する手段を鋭意検討した結果、アミノ酸、アルカリ性塩類、酸化防止剤およびキレート剤を含むアルデヒド除去剤は、空気中のアルデヒドの除去効果が高く、その効果が長時間持続することを見出し、本発明を完成させた。【００１０】
すなわち、本発明は、以下の［１］〜［５］を提供する。
［１］アミノ酸、アルカリ性塩類、酸化防止剤およびキレート剤を含むアルデヒド除去剤。
［２］アミノ酸を０．０５〜５０質量％、アルカリ性塩類を０．０５〜５０質量％、酸化防止剤を０．０１〜７０質量％およびキレート剤を０．０１〜７０質量％含む、前記[１]に記載のアルデヒド除去剤。
［３］前記［１］または［２］に記載のアルデヒド除去剤を固形分換算で１〜６０質量％、および、純水を４０〜９９質量％含む、アルデヒド除去液。
［４］アルデヒド除去部と除去液供給部から構成され、かつ、前記[３]に記載のアルデヒド除去液を用いてアルデヒドを除去するアルデヒド除去装置であって、
前記アルデヒド除去部は、除塵フィルターと、アルデヒド除去セクションと、ブロアーと、ドレンアップポンプとを含み、
前記除去液供給部は、貯留タンクと、流路切り替え用バルブと、除去液輸送用ポンプと、純水補給装置とを含む、
アルデヒド除去装置。
［５］前記アルデヒド除去セクションがエアワッシャーを含む前記［４］に記載のアルデヒド除去装置の運転方法であって、該エアワッシャーのエリアにアルデヒド除去液を供給する操作と、該供給を停止する操作とを繰り返す、アルデヒド除去装置の運転方法。
【発明の効果】
【００１１】
本発明のアルデヒド除去剤は、空気中のアルデヒドの除去効果が高く、その効果が長時間持続する。
また、本発明のアルデヒド除去装置は、アルデヒド除去剤の溶媒や補給水に純水を用いた場合、塩化物や炭酸塩が濃縮されにくいため、装置の腐食の発生、固形物の析出および固形物の装置への付着を抑制することができる。
さらに、本発明の運転方法は、少ないアルデヒド除去剤量で高い除去効果が得られるため経済的であり、また、浄化空気の温度や湿度の変動に対する抑制効果が高いため、快適な空気を住空間に供給することができる。
【図面の簡単な説明】
【００１２】
【図１】本発明のアルデヒド除去装置の一例を示す模式図である。
【図２】本発明のアルデヒド除去剤と、キレート剤を含まないアルデヒド除去剤の、ホルムアルデヒド除去率を示す図である。
【図３】アルデヒド除去液の溶媒および補給水に、純水を用いた場合と水道水を用いた場合の、アルデヒド除去液中の塩素イオン濃度の経時変化を示す図である。
【図４】本発明のアルデヒド除去装置と、特許文献１に記載の脱臭装置を用いた場合の、ホルムアルデヒド除去率の経時変化を示す図である。
【図５ａ】本発明のアルデヒド除去装置を用いてアルデヒド除去液の間欠供給を行った場合の、装置出入口の空気の温度と湿度の経時変化を示す図である。
【図５ｂ】特許文献１に記載の脱臭装置を用いてアルデヒド除去液の連続供給を行った場合の、装置出入口の空気の温度と湿度の経時変化を示す図である。
【発明を実施するための形態】
【００１３】
１．アルデヒド除去剤
本発明のアルデヒド除去剤は、前記のとおり、（１）アミノ酸、（２）アルカリ性塩類、（３）酸化防止剤、および、（４）キレート剤を含むものである。なお、該除去剤は、アルデヒドの除去効果が喪失しない範囲で、前記（１）〜（４）の含有成分以外の物質を含んでもよい。
以下、該除去剤について含有成分ごとに説明する。
【００１４】
（１）アミノ酸
前記アミノ酸は、例えば、グリシン、アラニン、アルギニン、アスパラギン、アスパラギン酸、グルタミン、グルタミン酸、ヒスチジン、イソロイシン、ロイシン、リシン、メチオニン、セリン、トレオニン、バリン、および、これらの塩から選ばれる、少なくとも１種以上が挙げられ、また、これらのアミノ酸のＤ体、Ｌ体およびラセミ体のいずれも用いることができる。これらの中で、グリシンは安価で入手が容易なため好ましい。
前記除去剤中の前記アミノ酸の含有率は、０．０５〜５０質量％が好ましく、５〜４５質量％がより好ましく、１０〜４０質量％がさらに好ましい。該値が０．０５質量％未満では、アルデヒドの除去効果が低く、該値が５０質量％を超えると該除去効果は飽和するとともにコスト高になる。
【００１５】
（２）アルカリ性塩類
前記アルカリ性塩類は、例えば、塩基性炭酸塩および塩基性リン酸塩から選ばれる、少なくとも１種以上が挙げられる。この内、塩基性炭酸塩として、例えば、炭酸ナトリウム、炭酸水素ナトリウム、炭酸カリウムおよび炭酸水素カリウム等の、水溶液がアルカリ性を示す炭酸塩が挙げられ、また、塩基性リン酸塩として、リン酸三ナトリウムおよびリン酸三カリウム等の、水溶液がアルカリ性を示すリン酸塩が挙げられる。
前記除去剤中の前記アルカリ性塩類の含有率は、０．０５〜５０質量％が好ましく、５〜４５質量％がより好ましく、１０〜４２質量％がさらに好ましい。
【００１６】
（３）酸化防止剤
前記酸化防止剤は、例えば、アスコルビン酸、トコフェロール、亜硫酸、ブチルヒドロキシアニソール、エリソルビン酸、二酸化硫黄、クロロゲン酸、カテキン、および、これらの塩から選ばれる、少なくとも１種以上が挙げられる。
前記除去剤中の前記酸化防止剤の含有率は、０．０１〜７０質量％が好ましく、０．５〜５０質量％がより好ましく、１〜４０質量％がさらに好ましい。該値が０．０１〜７０質量％の範囲において、アミノ酸に対する酸化防止効果が高く、アルデヒドの除去効果が長時間持続する。
【００１７】
（４）キレート剤
前記キレート剤は、例えば、エチレンジアミン、エチレンジアミン四酢酸、ビピリジン、フェナントロリン、ポルフィリン、クラウンエーテル、および、これらの塩から選ばれる、少なくとも１種以上を挙げることができる。
前記除去剤中の前記キレート剤の含有率は、０．０１〜７０質量％が好ましく、０．５〜５０質量％がより好ましく、１〜４０質量％がさらに好ましい。該値が０．０１〜７０質量％の範囲において、キレート効果が高く、アルデヒドの除去効果が長時間持続する。
【００１８】
（５）除去対象物
本発明において除去の対象となるアルデヒドは、空気中に存在するアルデヒドであって、例えば、ホルムアルデヒド、アセトアルデヒド、プロピオンアルデヒド、ノルマルブチルアルデヒド、イソブチルアルデヒド、ノルマルバレルアルデヒド、および、イソバレルアルデヒド等から選ばれる、少なくとも１種以上が挙げられる。これらの中でも、ホルムアルデヒドとアセトアルデヒドは、本発明の除去剤による除去効果が高く、ホルムアルデヒドは、特に、除去効果が高い。
【００１９】
（６）アルデヒド除去剤の使用態様
本発明のアルデヒド除去剤は、水溶液または懸濁液等の水性液の態様で使用することができる。また、該水性液の溶媒として、水のほかに、有機溶媒と水との混合溶媒が使用できる。
アルデヒド除去剤の水性液の中でも、特に、溶媒に純水を用いたアルデヒド除去液（以下「除去液」という。）は、後記する本発明のアルデヒド除去装置に用いた場合、アルデヒドの高い除去効果が長時間持続するほか、装置内での腐食の発生、固形物の析出および固形物の装置への付着を抑制するため好ましい。ここで純水として、例えば、ＲＯ水（逆浸透膜を通した水）、脱イオン水（イオン交換樹脂等を通した水）および蒸留水等が挙げられる。
【００２０】
アルデヒド除去剤の水性液の濃度は、固形分換算で１〜６０質量％が好ましく、５〜５０質量％がより好ましく、２０〜４０質量％がさらに好ましい。該濃度が１質量％未満ではアルデヒドの除去効果が低い傾向があり、６０質量％を超えると含有成分が析出して除去効果は不安定になるおそれがある。
【００２１】
２．アルデヒド除去装置
本発明のアルデヒド除去装置は、前記のとおり、アルデヒド除去部と、除去液供給部から構成されるものである。以下、アルデヒド除去装置について、（１）アルデヒド除去部と（２）除去液供給部に分けて、図１に基づき説明する。
【００２２】
（１）アルデヒド除去部
アルデヒド除去部１０は、アルデヒドを含む空気（以下「汚染空気」という。）の流路の上流側から順に、除塵フィルター１１と、アルデヒド除去セクション１２と、除塵フィルター１３と、ブロアー１４と、ドレンアップポンプ１５とを含むものである。そして、
（i）除塵フィルター１１は、アルデヒド除去セクションと除去液の汚れを防止するためのものである。
（ii）アルデヒド除去セクション１２は、アルデヒドを除去するための除去部材を含むものである。該部材として、例えば、エアワッシャー等が挙げられる。該部材がエアワッシャーの場合、該エアワッシャーのメディアの表面に形成されたアルデヒド除去剤の液膜に、空気中のアルデヒドが接触し反応することによりアルデヒドが除去される。
【００２３】
（iii）除塵フィルター１３は、除去液および結晶化して析出した除去剤の飛散を防止するためのものである。該フィルターは、例えば、ＮＢＳ（比色法）除去率９０％以上の性能を有するフィルターが好ましい。
（iv）ブロアー１４は、汚染空気を、アルデヒド除去部１０の入口から出口まで流動させるための装置である。
（v）ドレンアップポンプ１５は、アルデヒド除去セクション１２において除去されたアルデヒドを含む除去液を、後記の除去液供給部２０内の貯留タンク２１に送るための装置である。
以上のアルデヒド除去部の構成により、汚染空気は浄化され、清浄な空気が住空間に供給される。
【００２４】
（２）除去液供給部
次に、除去液供給部２０について説明する。
除去液供給部２０は、貯留タンク２１と、流路切り替え用バルブ２２および２３と、除去液輸送用ポンプ２４と、純水補給装置２５とを含むものである。そして、
（i）貯留タンク２１は、除去液を溜めるためのものである。なお、図１において、２個の貯留タンク２１が示されているが、貯留タンク２１は２個に限定されず、汚染空気の処理量等に応じて、３個以上を設置することができる。
（ii）流路切り替え用バルブ２２は、アルデヒドの除去に供してアルデヒド除去効果が低下した除去液の供給を止めて、新たな除去液の供給に切り替えるためのものである。これにより、アルデヒド除去効果の高い除去液を、常時、アルデヒド除去セクション１２に供給できるため、高いアルデヒド除去効果を長時間維持することができる。
【００２５】
（iii）流路切り替え用バルブ２３は、循環使用している除去液中の除去剤の濃度を調整するために、純水補給装置２５から貯留タンク２１に純水を補給し、または、該補給を止めるためのものである。
（iv）除去液輸送用ポンプ２４は、貯留タンク２１内の除去液を、アルデヒド除去部１０内のアルデヒド除去セクション１２に送るための装置である。
（v）純水補給装置２５は、純水を補給するためのものであり、該装置には、水道水から塩化物や炭酸塩等の塩類を除去して純水を製造する装置のほかに、純水を貯蔵する装置も含む。この純水は、アルデヒド除去セクション１２において蒸発等して散逸した水分を、貯留タンク２１内に補給するために用いる。純水を用いることにより、除去液中の塩化物や炭酸塩等の塩類の濃縮を防止できるため、装置内での腐食の発生、固形物の析出および固形物の装置への付着を抑制することができる。
また、図示されていないが、アルデヒドの除去により消費された除去剤分を、貯留タンク２１内に補給するための除去剤補給装置を、貯留タンク２１に連結して設置してもよい。
【００２６】
また、前記アルデヒド除去セクション１２、ドレンアップポンプ１５、貯留タンク２１、流路切り替え用バルブ２２、除去液輸送用ポンプ２４、および、配管（図１中の矢印を付した実線等）などの、除去液と接触する部分の材質は、ステンレス鋼、ガルバリウム鋼、アルミニウム、樹脂、または、カチオン電着塗装した鉄等が好ましい。これらの材質であれば、アミノ酸と装置部材とのメイラード反応により生じる部材の腐食を防止することができる。
【００２７】
以上の除去液供給部の構成により、除去液中の塩化物や炭酸塩等の塩類が濃縮されにくいため、本発明のアルデヒド除去装置では、装置内での腐食の発生、固形物の析出および固形物の装置への付着が抑制される。特に、装置が前記非腐食性の材質で構成された場合は、腐食の発生を完全に防止することができる。
【００２８】
３．アルデヒド除去装置の運転方法
該運転方法は、前記のとおり、アルデヒド除去セクションにおける除去部材に、除去液を供給する操作と、該供給を停止する操作を繰り返すものである。
除去部材に除去液を連続供給する従来の運転方法に比べ、除去部材に除去液を間欠供給する本発明の運転方法は、少量の除去液を用いて効率よくアルデヒドを除去できるほか、浄化後の空気の温度や湿度の変動を抑制することができるため、快適な空気を住空間に供給できるという利点がある。
【００２９】
ここで、除去液の供給時間／供給停止時間の比（以下「間欠時間比」という。）は、好ましくは０．００１〜１であり、より好ましくは０．０１〜０．２である。該値が０．００１未満では、アルデヒドの除去効果が十分でなく、該値が１を超えると、浄化空気の温度や湿度が変動するおそれがある。
前記の間欠時間比は、汚染空気中のアルデヒド濃度、アルデヒド除去装置への汚染空気の供給量（以下「処理風量」という。）、および、アルデヒド除去セクションにおける除去部材の面への供給速度（以下「面速度」という。）等に応じて適宜選択される。例えば、後記のように、０，１ｐｐｍの汚染空気の処理風量が３２４０ｍ３／ｈで、面速度が２．５ｍ／ｓの場合、その間欠時間比は０．０１程度が好ましい。
【実施例】
【００３０】
以下に、実施例により本発明を説明するが、本発明はこれらの実施例に限定されない。
１．除去液の調製
表１に示す配合に従い、市販の各種試薬を用いて除去液を調製した。また、参考例は、脱イオン水のみを用いた。
なお、表１中の炭酸Ｎａは炭酸ナトリウムを、亜硫酸Ｎａは亜硫酸ナトリウムを、ＥＤＴＡはエチレンジアミン四酢酸二ナトリウムを表す。ちなみに、実施例１の除去剤の成分組成を質量％で表せば、グリシンが２８質量％、炭酸Ｎａが４１質量％、亜硫酸Ｎａが２８質量％、ＥＤＴＡが３質量％である。【００３１】
【表１】
2013057791.tif 000003
【００３２】
２．アルデヒド除去試験
（１）汚染空気の１パスで連続した通気による除去効果
該試験では、表１の実施例１と比較例１の除去液、除去処理前のホルムアルデヒド濃度が０．１ｐｐｍの汚染空気、および、アルデヒド除去セクションの除去部材にエアワッシャーを用いた図１のアルデヒド除去装置を使用した。そして、該汚染空気を、処理風量が３２４０ｍ３／ｈ、および、エアワッシャーのエリアの面風速が２．５ｍ／ｓの条件で、１パスで３００時間連続して通気するとともに、各除去液を２リットル／時間の供給速度で循環させて使用し、装置出口のホルムアルデヒドの濃度を経時的に測定して、その除去率を求めた。その結果を図２に示す。
なお、すべての除去試験において、アルデヒド濃度は、高速液体クロマトグラフ（型番：Ａｇｉｌｅｎｔ１１００、アジレントテクノロジー社製）を用いて、ＤＮＰＨ−ＨＰＬＣ法により測定した。また、アルデヒド除去率は下記式により求めた。
アルデヒド除去率（％）＝１００×（除去処理前のアルデヒド濃度−装置出口のアルデヒド濃度）／除去処理前のアルデヒド濃度【００３３】
図２に示すように、実施例１のホルムアルデヒドの除去率は、除去処理開始初期において９６％と極めて高く、３００時間経過した後も、そのままの高い状態を維持することができた。これに対し、キレート剤（ＥＤＴＡ）を含まない比較例１の除去率は、除去処理開始初期において８５％と低く、３００時間経過した後はさらに７２％に低下した。したがって、本発明の除去剤に含まれるキレート剤は、除去効果を長時間維持する効果があり、また、本発明の除去剤は、ホルムアルデヒドに対し高い除去効果を奏することができる。【００３４】
（２）汚染空気の１パスで１回の通気による除去効果
該試験では、表１の実施例１、比較例２および参考例の除去液と、前記（１）と同じ除去装置を使用した。そして、表２に示す装置入口の濃度のアセトアルデヒドを含む汚染空気を、処理風量が８１０ｍ３／ｈ、および、エアワッシャーのエリアの面風速が１．５ｍ／ｓの条件で、１パスで１回だけ通気するとともに、各除去液を１リットル／時間の供給速度で循環させて使用し、装置出口のアセトアルデヒドの濃度を測定して、その除去率を求めた。その結果を表２に示す。【００３５】
【表２】
2013057791.tif 000004
【００３６】
表２に示すように、酸化防止剤とキレート剤を含まない比較例２のアセトアルデヒドの除去率は０％であるのに対し、実施例１の除去率は７０％と、比較例２に比べて極めて高い。したがって、本発明の除去剤に含まれる酸化防止剤とキレート剤は、除去効果を格段に高める効果があり、また、本発明の除去剤は、除去がより難しいアセトアルデヒドに対しても高い除去効果を奏することができる。【００３７】
（３）除去液中の塩化物イオン濃度の経時変化
（i）実施例１の除去液の溶媒と該除去液への補給水に脱イオン水を用いた場合と、（ii）比較例３の除去液の溶媒と該除去液への補給水に水道水を用いた場合の、除去液中の塩化物イオン濃度の経時変化を測定した。
具体的には、除去処理前のホルムアルデヒドの濃度が０．１ｐｐｍの汚染空気を、処理風量が３２４０ｍ３／ｈ、および、エアワッシャーのエリアの面風速が２．５ｍ／ｓの条件で、前記（１）と同じ除去装置に１パスで連続して通気するとともに、各除去液を２リットル／時間の供給速度で循環させて使用し、（i）の場合は４４０時間および６１６時間通気した後の、また、(ii）の場合は１００時間、２００時間および３３４時間通気した後の、除去液中の塩化物イオン濃度を測定した。その結果を図３に示す。【００３８】
図３に示すように、（ii）の場合では、３３４時間経過後の塩化物イオン濃度は約１３００ｐｐｍであるのに対し、（i）の場合では、６１６時間と約２倍も長い時間が経過したにもかかわらず、該濃度は約５０ｐｐｍと極めて低い。ちなみに、水道水の塩化物イオン濃度の基準値は２００ｐｐｍであるから、（i）の場合の塩化物イオン濃度は、該基準値の１／４に過ぎない。したがって、除去液の溶媒や補給水に脱イオン水を用いた場合、塩化物イオンは濃縮されにくいため除去装置の腐食が抑制される。【００３９】
（４）本発明の運転方法による空気の温度および湿度の経時変化
（ａ）前記（１）と同じ除去装置を用いて除去液を間欠供給した場合と、（ｂ）特許文献１に記載の脱臭装置を用いて除去液を連続供給した場合の、アルデヒド除去率と、装置の出入口における浄化空気の温度および湿度の経時変化を測定した。
具体的には、実施例１の除去液を用いて、除去処理前のホルムアルデヒドの濃度が０．１ｐｐｍの汚染空気を、処理風量が３２４０ｍ３／ｈ、および、エアワッシャーのエリアの面風速が２．５ｍ／ｓの条件で、１パスで連続して通気して、装置出入口の空気の温度と湿度を測定した。
ここで、除去液の供給パターンは、（ａ）の場合、最初１５分間供給した後に８時間供給を止め（間欠時間比は０．０３）、（ｂ）の場合、８時間連続して供給した。いずれの供給速度も、２リットル／時間であった。
除去率の経時変化を図４に、空気の温度および湿度の経時変化を図５ａおよび図５ｂに示す。【００４０】
図４に示すように、最初の１〜２時間におけるホルムアルデヒドの除去率は、前記（ａ）の間欠供給の場合は９７％であるのに対し、前記（ｂ）の連続供給の場合は９５％と低い。
また、図５ａに示すように、前記（ａ）の場合、通気開始後３〜４時間で、装置出口における浄化空気の温度は上昇し、湿度は低下して、いずれも装置入口の空気の温度や湿度とほぼ同じになったのに対し、図５ｂに示すように、前記（ｂ）の場合、８時間経過した後も、装置の出入口における温度や湿度は同じにならなかった。【００４１】
したがって、本発明の運転方法は、特許文献１の脱臭装置の運転方法と比べ、より少ない除去剤量で同等以上の除去効果を奏するため経済的であり、また、浄化空気の温度や湿度の変動に対する抑制効果が高いため、快適な空気を住空間に供給することができる。
【符号の説明】
【００４２】
１０        アルデヒド除去部
１１、１３  除塵フィルター
１２        アルデヒド除去セクション
１４        ブロアー
１５        ドレンアップポンプ
２０        除去液供給部
２１        貯留タンク
２２，２３  流路切り替え用バルブ
２４        除去液輸送用ポンプ
２５        純水補給装置
【図１】
2013057791.tif 000005
【図２】
2013057791.tif 000006
【図３】
2013057791.tif 000007
【図４】
2013057791.tif 000008
【図５ａ】
2013057791.tif 000009
【図５ｂ】
2013057791.tif 000010
【手続補正書】
【提出日】平成25年5月13日(2013.5.13)
【手続補正１】
【補正対象書類名】明細書
【補正対象項目名】００１１
【補正方法】変更
【補正の内容】
【００１１】
［表１］
2013057791.tif 000011
［００３２］
２．アルデヒド除去試験
（１）汚染空気の１パスで連続した通気による除去効果
該試験では、表１の実施例１と比較例１の除去液、除去処理前のホルムアルデヒド濃度が０．１ｐｐｍの汚染空気、および、アルデヒド除去セクションの除去部材にエアワッシャーを用いた図１のアルデヒド除去装置を使用した。そして、該汚染空気を、処理風量が３２４０ｍ３／ｈ、および、エアワッシャーのエリアの面風速が２．５ｍ／ｓの条件で、１パスで３００時間連続して通気するとともに、各除去液を２リットル／分の供給速度で循環させて使用し、装置出口のホルムアルデヒドの濃度を経時的に測定して、その除去率を求めた。その結果を図２に示す。
なお、すべての除去試験において、アルデヒド濃度は、高速液体クロマトグラフ（型番：Ａｇｉｌｅｎｔ１１００、アジレントテクノロジー社製）を用いて、ＤＮＰＨ−ＨＰＬＣ法により測定した。また、アルデヒド除去率は下記式により求めた。
アルデヒド除去率（％）＝１００×（除去処理前のアルデヒド濃度−装置出口のアルデヒド濃度）／除去処理前のアルデヒド濃度
［００３３］
図２に示すように、実施例１のホルムアルデヒドの除去率は、除去処理開始初期において９６％と極めて高く、３００時間経過した後も、そのままの
【手続補正２】
【補正対象書類名】明細書
【補正対象項目名】００１２
【補正方法】変更
【補正の内容】
【００１２】
高い状態を維持することができた。これに対し、キレート剤（ＥＤＴＡ）を含まない比較例１の除去率は、除去処理開始初期において８５％と低く、３００時間経過した後はさらに７２％に低下した。したがって、本発明の除去剤に含まれるキレート剤は、除去効果を長時間維持する効果があり、また、本発明の除去剤は、ホルムアルデヒドに対し高い除去効果を奏することができる。
［００３４］
（２）汚染空気の１パスで１回の通気による除去効果
該試験では、表１の実施例１、比較例２および参考例の除去液と、前記（１）と同じ除去装置を使用した。そして、表２に示す装置入口の濃度のアセトアルデヒドを含む汚染空気を、処理風量が８１０ｍ３／ｈ、および、エアワッシャーのエリアの面風速が１．５ｍ／ｓの条件で、１パスで１回だけ通気するとともに、各除去液を１リットル／分の供給速度で循環させて使用し、装置出口のアセトアルデヒドの濃度を測定して、その除去率を求めた。その結果を表２に示す。
［００３５］
［表２］
2013057791.tif 000012
［００３６］
表２に示すように、酸化防止剤とキレート剤を含まない比較例２のアセトアルデヒドの除去率は０％であるのに対し、実施例１の除去率は７０％と、比較例２に比べて極めて高い。したがって、本発明の除去剤に含まれる酸化防止剤とキレート剤は、除去効果を格段に高める効果があり、また、本発明の除去剤は、除去がより難しいアセトアルデヒドに対しても高い除去効果を奏することができる。
【手続補正３】
【補正対象書類名】明細書
【補正対象項目名】００１３
【補正方法】変更
【補正の内容】
【００１３】
［００３７］
（３）除去液中の塩化物イオン濃度の経時変化
（ｉ）実施例１の除去液の溶媒と該除去液への補給水に脱イオン水を用いた場合と、（ｉｉ）比較例３の除去液の溶媒と該除去液への補給水に水道水を用いた場合の、除去液中の塩化物イオン濃度の経時変化を測定した。
具体的には、除去処理前のホルムアルデヒドの濃度が０．１ｐｐｍの汚染空気を、処理風量が３２４０ｍ３／ｈ、および、エアワッシャーのエリアの面風速が２．５ｍ／ｓの条件で、前記（１）と同じ除去装置に１パスで連続して通気するとともに、各除去液を２リットル／分の供給速度で循環させて使用し、（ｉ）の場合は４４０時間および６１６時間通気した後の、また、（ｉｉ）の場合は１００時間、２００時間および３３４時間通気した後の、除去液中の塩化物イオン濃度を測定した。その結果を図３に示す。
［００３８］
図３に示すように、（ｉｉ）の場合では、３３４時間経過後の塩化物イオン濃度は約１３００ｐｐｍであるのに対し、（ｉ）の場合では、６１６時間と約２倍も長い時間が経過したにもかかわらず、該濃度は約５０ｐｐｍと極めて低い。ちなみに、水道水の塩化物イオン濃度の基準値は２００ｐｐｍであるから、（ｉ）の場合の塩化物イオン濃度は、該基準値の１／４に過ぎない。したがって、除去液の溶媒や補給水に脱イオン水を用いた場合、塩化物イオンは濃縮されにくいため除去装置の腐食が抑制される。
［００３９］
（４）本発明の運転方法による空気の温度および湿度の経時変化
（ａ）前記（１）と同じ除去装置を用いて除去液を間欠供給した場合と、
（ｂ）特許文献１に記載の脱臭装置を用いて除去液を連続供給した場合の、アルデヒド除去率と、装置の出入口における浄化空気の温度および湿度の経時変化を測定した。
具体的には、実施例１の除去液を用いて、除去処理前のホルムアルデヒドの濃度が０．１ｐｐｍの汚染空気を、処理風量が３２４０ｍ３／ｈ、および、エアワッシャーのエリアの面風速が２．５ｍ／ｓの条件で、１パスで連続して通気して、装置出入口の空気の温度と湿度を測定した。
ここで、除去液の供給パターンは、（ａ）の場合、最初１５分間供給した
【手続補正４】
【補正対象書類名】明細書
【補正対象項目名】００１４
【補正方法】変更
【補正の内容】
【００１４】
後に８時間供給を止め（間欠時間比は０．０３）、（ｂ）の場合、８時間連続して供給した。いずれの供給速度も、２リットル／分であった。
除去率の経時変化を図４に、空気の温度および湿度の経時変化を図５ａおよび図５ｂに示す。
［００４０］
図４に示すように、最初の１〜２時間におけるホルムアルデヒドの除去率は、前記（ａ）の間欠供給の場合は９７％であるのに対し、前記（ｂ）の連続供給の場合は９５％と低い。
また、図５ａに示すように、前記（ａ）の場合、通気開始後３〜４時間で、装置出口における浄化空気の温度は上昇し、湿度は低下して、いずれも装置入口の空気の温度や湿度とほぼ同じになったのに対し、図５ｂに示すように、前記（ｂ）の場合、８時間経過した後も、装置の出入口における温度や湿度は同じにならなかった。
［００４１］
したがって、本発明の運転方法は、特許文献１の脱臭装置の運転方法と比べ、より少ない除去剤量で同等以上の除去効果を奏するため経済的であり、また、浄化空気の温度や湿度の変動に対する抑制効果が高いため、快適な空気を住空間に供給することができる。
符号の説明
［００４２］
１０      アルデヒド除去部
１１、１３  除塵フィルター
１２        アルデヒド除去セクション
１４        ブロアー
１５        ドレンアップポンプ
２０        除去液供給部
２１        貯留タンク
２２，２３  流路切り替え用バルブ
２４        除去液輸送用ポンプ
２５        純水補給装置
【国際調査報告】
2013057791.tif 000013
2013057791.tif 000014